(57)【特許請求の範囲】
【請求項１】
境界線側ヘ突出する突起部を有する一方の躯体と、この一方の躯体と目地部を介して設置された、該一方の躯体の突起部が地震で目地部が狭くなると侵入することができる突起部侵入凹部および、前記一方の躯体の突起部の端部と前記突起部侵入凹部との間の幅寸法よりも小さな幅寸法で、前記境界線までに形成された目地プレート支持躯体とからなる他方の躯体と、この他方の躯体の前記突起部侵入凹部側の目地プレート支持躯体に形成された前記突起部侵入凹部と反対側が傾斜面に形成された目地プレートの先端部を支持する目地プレート先端支持部と、前記他方の躯体に伸縮可能に取付けられた先端部が、前記突起部侵入凹部のほぼ中央部に位置する、該突起部侵入凹部の床面を移動するプレート支持体と、このプレート支持体の上部に支承プレート取付具を介して上方へ移動可能に後端部が取付けられ、先端部が前記目地プレート先端支持部に支持された支承プレートと、前記目地プレート先端支持部に支持されている支承プレートに先端部が支持され、後端部が前記一方の躯体の突起部の先端部に上方へ移動可能に取付けられた目地プレートとからなり、前記支承プレート取付具は、前記プレート支持体に所定間隔で取付けられた上部が開口する支持筒と、この支持筒内に上下移動可能に取付けられた可動筒と、この可動筒と前記支持筒との間に収納された、該可動筒を上方へ付勢する付勢スプリングとからなることを特徴とする境界線用目地装置。
【請求項２】
プレート支持体は目地プレート支持躯体に突起部侵入凹部内へ開口するようにほぼ水平で、並列するように、目地プレート支持躯体に埋設された複数個のさや管と、この複数個のさや管にそれぞれ出没可能に取付けられたスライド杆と、この複数個のスライド杆の先端部に固定されたバー部材に少なくとも２個以上取付けられた突起部侵入凹部の床面を移動するローラを備えた支持体と、前記複数個のスライド杆の先端部が前記突起部侵入凹部のほぼ中央部以上突出しないように阻止するストッパーと、前記支持体あるいは前記バー部材に所定間隔で上方へ移動できるように支承プレートの後端部を支持するように取付けられた支承プレート取付具と、前記複数個のスライド杆を常時突出するように付勢する付勢スプリングとで構成されていることを特徴とする請求項１記載の境界線用目地装置。
【発明の詳細な説明】
【技術分野】
【０００１】
本発明は境界線までに十分な寸法がない所に設置する境界線用目地装置に関する。
【背景技術】
【０００２】
従来の目地装置は左右の躯体間を目地プレートで覆う目地部の幅寸法の２倍以上の目地プレートの先端部を支持する寸法がないと、左右の躯体が異なる方向に地震で揺れ動くと、目地プレートの先端部が目地部に脱落したり、外方へ突出してしまうという不具合が生じるため、設置することができないという欠点があった。
【先行技術文献】
【特許文献】
【０００３】
【特許文献１】特許第４０９９４７８号公報
【発明の概要】
【発明が解決しようとする課題】
【０００４】
本発明は以上のような従来の欠点に鑑み、境界線までの寸法が小さい所にでも目地部の幅寸法分の伸縮が安全にできる境界線用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は境界線側ヘ突出する突起部を有する一方の躯体と、この一方の躯体と目地部を介して設置された、該一方の躯体の突起部が地震で目地部が狭くなると侵入することができる突起部侵入凹部および、前記一方の躯体の突起部の端部と前記突起部侵入凹部との間の幅寸法よりも小さな幅寸法で、前記境界線までに形成された目地プレート支持躯体とからなる他方の躯体と、この他方の躯体の前記突起部侵入凹部側の目地プレート支持躯体に形成された前記突起部侵入凹部と反対側が傾斜面に形成された目地プレートの先端部を支持する目地プレート先端支持部と、前記他方の躯体に伸縮可能に取付けられた先端部が、前記突起部侵入凹部のほぼ中央部に位置する、該突起部侵入凹部の床面を移動するプレート支持体と、このプレート支持体の上部に支承プレート取付具を介して上方へ移動可能に後端部が取付けられ、先端部が前記目地プレート先端支持部に支持された支承プレートと、前記目地プレート先端支持部に支持されている支承プレートに先端部が支持され、後端部が前記一方の躯体の突起部の先端部に上方へ移動可能に取付けられた目地プレートとからなり、前記支承プレート取付具は、前記プレート支持体に所定間隔で取付けられた上部が開口する支持筒と、この支持筒内に上下移動可能に取付けられた可動筒と、この可動筒と前記支持筒との間に収納された、該可動筒を上方へ付勢する付勢スプリングとで境界線用目地装置を構成している。
【発明の効果】
【０００７】
以上の説明から明らかなように、本発明にあっては次に列挙する効果が得られる。
（１）請求項１により、支承プレートによって目地部が広くなるように左右の躯体が揺れ動いても、目地プレートが目地部へ脱落するのを確実に防止することができる。    
（２）前記（１）によって、地震により目地部が狭くなるように左右の躯体が揺れ動いても、目地プレートの先端部が境界線を越えて、外方へ突出するのを防止することができる。
（３）前記（１）により、目地プレートを境界線までの寸法分だけ目地部が狭くなったり、広くなったりする左右の躯体の揺れ動きを吸収することができ、境界線までの寸法が小さい場所にでも設置することができる。
（４）前記（１）によって、目地部や突起部侵入凹部を形成し、プレート支持体で支承プレートを設置するだけでよく、構造が簡単で、容易に設置することができる。
（５）請求項２も前記（１）〜（４）と同様な効果が得られるとともに、プレート支持体で目地プレートが撓んだりするのを効率よく防止することができる。
【図面の簡単な説明】
【０００８】
【図１】本発明を実施するための第１の形態の平面図。
【図２】図１の２−２線に沿う断面図。
【図３】図１の３−３線に沿う断面図。
【図４】本発明を実施するための第１の形態のプレート支持体の説明図。
【図５】本発明を実施するための第１の形態の目地部が狭くなった動作説明図。
【図６】本発明を実施するための第１の形態の目地部が最大に狭くなった動作説明図。
【図７】本発明を実施するための第１の形態の目地部が広くなった動作説明図。
【図８】本発明を実施するための第２の形態の平面図。
【図９】図８の９−９線に沿う断面図。
【図１０】図８の１０−１０線に沿う断面図。
【図１１】本発明を実施するための第３の形態の平面図。
【図１２】図１１の１２−１２線に沿う断面図。
【図１３】本発明を実施するための第３の形態のプレート支持体の説明図。
【発明を実施するための形態】
【０００９】
以下、図面に示す本発明を実施するための形態により、本発明を詳細に説明する。
【００１０】
図１ないし図７に示す本発明を実施するための第１の形態において、１は境界線２までに十分な寸法がない所に設置することができる本発明の境界線用目地装置で、この境界線用目地装置１は境界線２側へ突出する突起部３を有する一方の躯体４と、この一方の躯体４と目地部５を介して配置された、該一方の躯体４の突起部３が、地震で目地部５が狭くなると侵入することができる突起部侵入凹部６および、前記一方の躯体４の突起部３の端部と前記突起部侵入凹部６との間の幅寸法Ｌよりも小さな幅寸法で、前記境界線２までに形成された目地プレート支持躯体７とからなる他方の躯体８と、この他方の躯体８の前記突起部侵入凹部６側の目地プレート支持躯体７に形成された反突起部侵入凹部６側が傾斜面９に形成された目地プレートの先端部を支持する目地プレート先端支持部１０と、前記他方の躯体８に伸縮可能に取付けられた先端部が、常時前記突起部侵入凹部６のほぼ中央部に位置する、該突起部侵入凹部６の床面６ａを移動するプレート支持体１１と、このプレート支持体１１の上部に上方へ移動することができる支承プレート取付具１２を介して後端部が取付けられ、先端部が前記目地プレート先端支持部１０に支持された金属板製の支承プレート１３と、前記目地プレート先端支持部１０に支持されている支承プレート１３に先端部が支持され、後端部が前記一方の躯体４の突起部３の先端部に上方へ移動させることができる移動支持機構１４を介して取付けられた目地プレート１５とで構成されている。
【００１１】
前記プレート支持体１１は前記目地プレート支持躯体７に突起部侵入凹部６内に開口するようにほぼ水平で、並列するように埋設された複数個のさや管１６と、この複数個のさや管１６にそれぞれ出没可能に取付けられたスライド杆１７と、この複数個のスライド杆１７の先端部に固定されたバー部材１８と、このバー部材１８に少なくとも２個以上取付けられた、前記突起部侵入凹部６の床面６ａを移動するローラ１９を備えた支持体２０と、前記複数個のスライド杆１７の先端部が前記突起部侵入凹部６のほぼ中央部以上突出しないように阻止する一端部が前記他方の躯体８の目地部側の壁面８ａに取付けられ、他端部が前記支持体２０に取付けられたロープやワイヤー等のストッパー２１と、前記スライド杆１７をそれぞれ常時突出方向に付勢する前記さや管１６に収納された付勢スプリング２２と、前記バー部材１８に所定間隔で取付けられた上部が開口する支持筒２３、この支持筒２３内に上下移動可能に取付けられた可動筒２４、この可動筒２４と前記支持筒２３との間に収納された、該可動筒２４を上方へ付勢する付勢スプリング２５とからなる支承プレート取付具１２とで構成されている。
【００１２】
前記目地プレート１５は金属材製の四角形の浅皿状の目地プレート本体２６と、この目地プレート本体２６の先端部にヒンジ部材２７を介して、先端部が上下方向に回動する金属板製のカバープレート２８と、前記目地プレート本体２６内に充填されたモルタルやコンクリート２９と、このモルタルやコンクリート２９の上面に必要に応じて敷設された化粧タイルやレンガ等の床化粧体３０とで構成されている。
【００１３】
前記移動支持機構１４は前記目地プレート１５の後部両側部の底面に下方へ突出し、回動できるように取付けられた一対の支持ピン３１、３１と、この一対の支持ピン３１、３１が遊挿される前記目地プレート１５の後端部を支持する、前記一方の躯体４の突起部３の先端部に形成された目地プレート支持凹部３２に形成された一対の支持ピン遊挿筒３３、３３とで構成されている。
【００１４】
上記構成の境界線用目地装置１は、通常時には図１および図２に示すように一方の躯体４の突起部３と他方の躯体８の目地プレート支持躯体７との間の突起部侵入凹部６は、目地プレート支持凹部３２と目地プレート１５で、上面がほぼ平坦面となるように覆われている。
【００１５】
地震で一方の躯体４と他方の躯体８とが揺れ動き、目地部５が狭くなると、図５に示すように突起部侵入凹部６内に一方の躯体４の突起部３が侵入し、目地プレート１５の先端部を傾斜面９に沿って境界線２側へ押し付けた状態となり、他方の躯体８の目地プレート支持躯体７上へ乗り上げた状態となる。
【００１６】
さらに、目地プレート１５の先端部が目地プレート支持躯体７上へ乗り上げると、図６に示すように目地プレート１５の重量バランスによって、移動支持機構１４、１４で支持された後端部が上方へ移動して水平状態となるとともに、先端部は境界線２を越えない位置で、最大の移動位置となる。
【００１７】
この時、プレート支持体１１は一方の躯体４の突起部３の先端部によって押され、境界線２方向へ移動するため、支承プレート１３の先端部は傾斜面９に沿って移動し、目地プレート１５と目地プレート支持躯体７との間に侵入するとともに、後端部は支承プレート取付具１２によって上方へ移動し、目地プレート１５の底面と当接する状態となる。
【００１８】
次に、地震で一方の躯体４と他方の躯体８とが揺れ動き、目地部５が広くなると、図７に示すように他方の躯体８の突起部侵入凹部６より一方の躯体４の突起部３が離間する方向に移動するため、目地プレート１５の先端部は目地プレート先端支持部１０より支承プレート１３上へ移動し、該支承プレート１３上をスライド移動して、その揺れ動きを吸収する。
【００１９】
この時、ストッパー２１で、その移動が阻止されている支承プレート１３の後端部の位置まで目地プレート１５の先端部の移動ができる。
なお、地震の揺れ動きが停止すると、自動的に元の状態へ戻る。
【００２０】
[発明を実施するための異なる形態]
次に、図８ないし図１３に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２１】
図８ないし図１０に示す本発明を実施するための第２の形態において、前記本発明を実施するための第１の形態と主に異なる点は、他方の躯体８の突起部侵入凹部６の底面６ａに一方の躯体４の突起部３の先端部と突起部侵入凹部６の壁面６ａとの中間部に支持体２０の一方の躯体４側への移動を阻止する突片状のストッパー２１Ａを設けた点で、このように構成した境界線用目地装置１Ａにしても前記本発明を実施するための第１の形態と同様な作用効果が得られる。
【００２２】
図１１ないし図１３に示す本発明を実施するための第３の形態において、前記本発明を実施するための第１の形態と主に異なる点は、複数個のスライド杆１７の先端部に固定されたバー部材１８に支承プレート取付具１２を上部に設けた複数個の支持体２０Ａの支持筒２３を固定したプレート支持体１１Ａを用いた点で、このように構成されたプレート支持体１１Ａを用いて構成した境界線用目地装置１Ｂにしても、前記本発明を実施するための第１の形態と同様な作用効果が得られる。
【産業上の利用可能性】
【００２３】
本発明は境界線までに十分な寸法を取ることができない場所で主に試用される境界線用目地装置を製造する産業で利用される。
【符号の説明】
【００２４】
１、１Ａ、１Ｂ：境界線用目地装置、
２：境界線、        ３：突起部、
４：一方の躯体、        ５：目地部、  
６：突起部侵入凹部、    Ｌ：寸法、
７：目地プレート支持躯体、  ８：他方の躯体、
９：傾斜面、        １０：目地プレート先端支持部、
１１、１１Ａ：プレート支持体、  １２：支承プレート取付具、
１３：支承プレート、    １４：移動支持機構、
１５：目地プレート、    １６：さや管、
１７：スライド杆、      １８：バー部材、
１９：ローラ、      ２０、２０Ａ：支持体、
２１、２１Ａ：ストッパー、  ２２：付勢スプリング、
２３：支持筒、      ２４：可動筒、
２５：付勢スプリング、    ２６：目地プレート本体、
２７：ヒンジ部材、      ２８：カバープレート、
２９：モルタルやコンクリート、３０：床化粧体、
３１：支持ピン、      ３２：目地プレート支持凹部、
３３：支持ピン遊挿筒。
【図１】
0005931476.tif 000002
【図２】
0005931476.tif 000003
【図３】
0005931476.tif 000004
【図４】
0005931476.tif 000005
【図５】
0005931476.tif 000006
【図６】
0005931476.tif 000007
【図７】
0005931476.tif 000008
【図８】
0005931476.tif 000009
【図９】
0005931476.tif 000010
【図１０】
0005931476.tif 000011
【図１１】
0005931476.tif 000012
【図１２】
0005931476.tif 000013
【図１３】
0005931476.tif 000014